(57)【特許請求の範囲】
【請求項１】
アクセサリが装着される係合部材と、
前記アクセサリの装着方向に交叉する幅方向に複数の接点を備えた信号端子コネクタと、
前記係合部材における前記幅方向に第１の幅だけ離間して設けられた一対の第１の係合部、及び前記第１の幅よりも広い第２の幅だけ離間して設けられた一対の第２の係合部と、を有し、
前記信号端子コネクタは、前記アクセサリの装着方向において、前記第１の係合部よりも前方の位置に配置されていて、
前記信号端子コネクタの前記幅方向に沿った長さは、前記第１の幅よりも大きく、前記第２の幅よりも小さく、
前記第２の係合部は、前記アクセサリの装着方向において、前記第１の係合部よりも後方に設けられていることを特徴とするアクセサリーシュー装置。
【請求項２】
前記第２の係合部は、前記第１の係合部を形成する構成部材の一部を切り欠いて形成されていることを特徴とする請求項１記載のアクセサリーシュー装置。
【請求項３】
前記信号端子コネクタの前記幅方向に沿った両端部の信号端子は、前記係合部材の幅方向において、前記第１の幅の外側であって、前記第２の幅の内側に配置されていることを特徴とする請求項１又は２記載のアクセサリーシュー装置。
【請求項４】
前記係合部材は、該係合部材に装着されたアクセサリを前記装着方向と交叉する方向に付勢する付勢部材を備えていることを特徴とする請求項１乃至３のいずれか１項に記載のアクセサリーシュー装置。
【請求項５】
前記係合部材は、複数のビスを備えた締結部によって撮像装置本体と締結されており、前記複数のビスは、前記付勢部材によって隠蔽されていることを特徴とする請求項４記載のアクセサリーシュー装置。
【請求項６】
前記アクセサリは、外部ストロボ装置であり、
前記一対の第１の係合部相互間に、前記外部ストロボ装置を発光させるための信号端子ステージが配置されており、
前記一対の第２の係合部は、前記アクセサリの装着方向において、前記信号端子ステージの中央のシンクロナイザ接点よりも後方に位置していることを特徴とする請求項１乃至５のずれか１項に記載のアクセサリーシュー装置。
【請求項７】
前記係合部材は、前記外部ストロボ装置のロックピンに対応する第１の係合孔を有し、前記第１の係合孔は、前記外部ストロボ装置の装着方向において前記シンクロナイザ接点よりも前方で、且つ前記信号端子コネクタよりも後方に位置していることを特徴とする請求項６記載のアクセサリーシュー装置。
【請求項８】
前記ロックピンは、前記係合部材に対する前記外部ストロボ装置の前記装着方向の位置を規制するピンであることを特徴とする請求項７記載のアクセサリーシュー装置。
【請求項９】
前記複数のビスは、前記シンクロナイザ接点を中心として前記係合部材における前記外部ストロボ装置の装着方向と、該装着方向に直交する幅方向に分割される４つの領域にそれぞれ均等に配置されていることを特徴とする請求項６乃至８のいずれか１項に記載のアクセサリーシュー装置。
【請求項１０】
前記アクセサリは、外部表示装置であり、
前記係合部材は、前記外部表示装置の係合爪に対応する第２の係合孔を有し、前記第２の係合孔は、前記外部表示装置の装着方向において別のアクセサリを機能させるための信号端子の中央の接点よりも後方に配置されていることを特徴とする請求項１乃至５のいずれか１項に記載のアクセサリーシュー装置。
【請求項１１】
前記係合爪は、前記係合部材に対する前記外部表示装置の前記装着方向の位置を規制することを特徴とする請求項１０記載のアクセサリーシュー装置。
【請求項１２】
前記信号端子コネクタは、前記外部表示装置の接続端子と接続される端子であり、
前記信号端子コネクタの前記係合部材の幅方向に沿った両端部の信号端子は、前記係合部材の幅方向において、それぞれ前記第１の幅の外側であって、前記第２の幅の内側で、前記外部表示装置の前記接続端子に接続される端子であることを特徴とする請求項１０又は１１記載のアクセサリーシュー装置。
【請求項１３】
前記複数のビスのうち、前記外部表示装置の装着方向における前記別のアクセサリを機能させるための信号端子の中央の接点よりも後方に配置されたビスは、前記第２の係合孔よりも前記外部表示装置の装着方向の前方に配置されていることを特徴とする請求項１０乃至１２のいずれか１項に記載のアクセサリーシュー装置。
【請求項１４】
アクセサリを装着するためのアクセサリーシュー装置を備えた撮像装置であって、前記アクセサリーシュー装置は、請求項１乃至１３のいずれか１項に記載のアクセサリーシュー装置であることを特徴とする撮像装置。
【請求項１５】
請求項１乃至１３のいずれか１項に記載されたアクセサリーシュー装置の前記係合部材に装着されるアクセサリであって、
前記信号端子コネクタの端子と接触する複数の接続端子を有し、
前記接続端子は、前記アクセサリの装着方向に伸延して設けられ、先端部が前記信号端子コネクタの端子と接触する伸延部と、前記伸延部に接続された延直部とを備え、
前記複数の接続端子は、非導電性材料で形成された保持部材によって保持されており、
前記保持部材は、前記係合部材の前記第１の係合部の間に挿入可能な第１の嵌合部と前記係合部材の前記第２の係合部の間に挿入可能な第２の嵌合部とを有し、
前記第２の嵌合部は、前記延直部を覆っていて、前記複数の接続端子の並ぶ方向における幅が前記第１の嵌合部よりも広いことを特徴とするアクセサリ。
【請求項１６】
前記接続端子のうち、前記係合部材へのアクセサリの装着方向に直交する幅方向の両端部の接続端子は、前記アクセサリの装着方向において、前記係合部材における第１の幅の外側であって、前記第２の幅の内側で、前記信号端子コネクタの端子と接続される接続端子であることを特徴とする請求項１５記載のアクセサリ。
【請求項１７】
外部表示装置であることを特徴とする請求項１５又は１６記載のアクセサリ。
【発明の詳細な説明】
【技術分野】
【０００１】
本発明は、アクセサリを装着するアクセサリーシュー装置、該アクセサリーシュー装置を備えた撮像装置、及びアクセサリに関する。
【背景技術】
【０００２】
撮像装置として、撮影用アクセサリ（以下、単に「アクセサリ」という。）が装着可能なアクセサリーシュー装置を備えた撮像装置が知られている。そして、撮像装置のアクセサリーシュー装置には、アクセサリを装着するための係合部が設けられている。
【０００３】
アクセサリーシュー装置に装着されるアクセサリとして、外部ストロボ装置だけでなく、小型液晶画面を備えた電子ビューファインダ（外部表示装置）が挙げられる。電子ビューファインダが装着可能なアクセサリーシュー装置は、係合部の領域内に、外部ストロボ装置を接続するための接続端子に加えて、電子ビューファインダを装着するための複数の接続端子からなる接続用コネクタを備えている。これによって、アクセサリが装着可能なアクセサリーシュー装置は、一の係合部に外部ストロボ装置と電子ビューファインダの２種類のアクセサリを選択的に取り付け可能な構成となっている。２種類のアクセサリが選択的に取り付け可能なアクセサリーシュー装置に関する先行技術文献として、特許文献１が挙げられる。
【先行技術文献】
【特許文献】
【０００４】
【特許文献１】特許第４０４２７１７号明細書
【発明の概要】
【発明が解決しようとする課題】
【０００５】
しかしながら、外部ストロボ装置を装着するためのアクセサリーシュー装置にはＪＩＳ規格による形状の規格が設けられている。ＪＩＳ規格による規格ではアクセサリのコネクタ部が係合する係合部の形状と、外部ストロボ装置とシンクロナイザ接点との位置関係が定められている。
【０００６】
一方、近年、電子ビューファインダは、高画素化、高フレームレート化の要請に伴い、撮像装置との接続信号端子数が増加する多極化の傾向がある。そこで、接続信号端子数の増加に対応できる接続用コネクタ及びアクセサリーシュー装置の開発が望まれているが、形状の規格があるアクセサリーシュー装置において接続信号端子数の多極化を図ることは、スペース上の制約もあって困難になっている。
【０００７】
本発明は、汎用性を損なわずに、係合部の形状内で外部表示装置を接続するための接続端子数を多極化することができるアクセサリーシュー装置、該アクセサリーシュー装置を備えた撮像装置、及びアクセサリを提供することを目的とする。
【課題を解決するための手段】
【０００８】
上記目的を達成するために、請求項１記載のアクセサリーシュー装置は、アクセサリが装着される係合部材と、前記アクセサリの装着方向に交叉する幅方向に複数の接点を備えた信号端子コネクタと、前記係合部材における前記幅方向に第１の幅だけ離間して設けられた一対の第１の係合部、及び前記第１の幅よりも広い第２の幅だけ離間して設けられた一対の第２の係合部と、を有し、前記信号端子コネクタは、前記アクセサリの装着方向において、前記第１の係合部よりも前方の位置に配置されていて、前記信号端子コネクタの前記幅方向に沿った長さは、前記第１の幅よりも大きく、前記第２の幅よりも小さく、前記第２の係合部は、前記アクセサリの装着方向において、前記第１の係合部よりも後方に設けられていることを特徴とする。
【０００９】
上記目的を達成するために、請求項１４記載の撮像装置は、アクセサリを装着するためのアクセサリーシュー装置を備えた撮像装置であって、前記アクセサリーシュー装置は、請求項１乃至１３のいずれか１項に記載のアクセサリーシュー装置であることを特徴とする。
【００１０】
上記目的を達成するために、請求項１５記載のアクセサリは、請求項１乃至１３のいずれか１項に記載されたアクセサリーシュー装置の前記係合部材に装着されるアクセサリであって、前記信号端子コネクタの端子と接触する複数の接続端子を有し、前記接続端子は、前記アクセサリの装着方向に伸延して設けられ、先端部が前記信号端子コネクタの端子と接触する伸延部と、前記伸延部に接続された延直部とを備え、前記複数の接続端子は、非導電性材料で形成された保持部材によって保持されており、前記保持部材は、前記係合部材の前記第１の係合部の間に挿入可能な第１の嵌合部と前記係合部材の前記第２の係合部の間に挿入可能な第２の嵌合部とを有し、前記第２の嵌合部は、前記延直部を覆っていて、前記複数の接続端子の並ぶ方向における幅が前記第１の嵌合部よりも広いことを特徴とする。
【発明の効果】
【００１１】
本発明によれば、汎用性を損なわずに、アクセサリーシュー装置の係合部の形状内で外部表示装置を接続するための接続端子数を多極化することができる。また、接続端子数を多極化したアクセサリーシュー装置に装着するためのアクセサリを提供することができる。
【図面の簡単な説明】
【００１２】
【図１】実施の形態に係る撮像装置を示す図であり、図１（ａ）は背面方向から見た斜視図、図１（ｂ）は、アクセサリーシュー装置に外部ストロボ装置を装着した状態を示す背面方向からの斜視図である。また、図１（ｃ）は、アクセサリーシュー装置に外部表示装置を装着した状態を示す背面方向からの斜視図、図１（ｄ）は、アクセサリーシュー装置への外部表示装置の装着方法を示す図である。
【図２】図１の撮像装置におけるアクセサリーシュー装置の構成を示す図であって、図２（ａ）は、分解斜視図、図２（ｂ）は、組立斜視図である。
【図３】アクセサリーシュー装置の主構成部材を説明するための図であり、図３（ａ）は、係合部材の上面の斜視図、図３（ｂ）は、係合部材の下面の斜視図である。また、図３（ｃ）は、信号端子コネクタの斜視図、図３（ｄ）は、係合部材に対する信号端子ステージと信号端子コネクタの位置決め機構を説明する分解斜視図である。
【図４】外部ストロボの構成を説明するための図であり、図４（ａ）は、外部ストロボのシューを示す斜視図、図４（ｂ）は、外部ストロボのシューの内部を説明する拡大断面図である。
【図５】外部ストロボのシューの詳細構成を示す斜視図である。
【図６】電子ビューファインダを説明するための図であり、図６（ａ）は、電子ビューファインダの接続プラグを示す斜視図、図６（ｂ）は、電子ビューファインダの内部構造を示す断面図、図６（ｃ）は、接続端子の側面図である。
【図７】電子ビューファインダの接続プラグを示す斜視図である。
【図８】アクセサリーシューに電子ビューファインダの接続プラグを装着した状態を示す図であって、図８（ａ）は、底面図、図８（ｂ）は、断面図である。
【図９】図８（ｂ）の状態を上方から見た平面図である。
【発明を実施するための形態】
【００１３】
以下、本発明の実施の形態について、図面を参照しながら詳細に説明する。
【００１４】
図１は、実施の形態に係る撮像装置を示す図であり、図１（ａ）は背面方向から見た斜視図、図１（ｂ）は、外部ストロボ装置を装着した状態を示す背面方向からの斜視図である。また、図１（ｃ）は、外部表示装置を装着した状態を示す背面方向からの斜視図、図１（ｄ）は、アクセサリーシュー装置への外部表示装置の装着方法を示す図である。
【００１５】
図１（ａ）において、撮像装置１０は、図示省略した撮像素子に被写体像を取り込むためのレンズ鏡筒１１、液晶モニター１２、アクセサリーシュー装置（以下、単に、「アクセサリーシュー」という。）１３、及びトップカバー１４を備えている。撮像装置１０の使用者は、液晶モニター１２によって被写体像を確認することができる。撮影用のアクセサリの取り付け部としてのアクセサリーシュー１３はトップカバー１４の一部を形成している。
【００１６】
図１（ｂ）において、撮像装置１０のアクセサリーシュー１３にアクセサリとしての外部ストロボ装置（以下、単に、「外部ストロボ」という。）１５が装着されている。外部ストロボ１５は、撮影時に発光させて被写体に光を照射するために用いる。また、図１（ｃ）において、撮像装置１０のアクセサリーシュー１３に小型液晶装置を備えた外部表示装置としての電子ビューファインダ１６が装着されている。撮像装置１０の使用者は、電子ビューファインダ１６によって、液晶モニター１２と同様に、撮像素子に取り込まれる被写体像を確認することができる。
【００１７】
また、図１（ｄ）において、電子ビューファインダ１６は、撮像装置本体のアクセサリーシュー１３に接続するための接続プラグ１６ａを備えている。電子ビューファインダ１６は、図１（ｄ）中、矢印Ｚ方向に平行にスライドさせて接続プラグ１６ａとアクセサリーシュー１３を係合させることによって撮像装置１０に装着される。スライド方向は、撮像装置１０の背面側、つまり液晶モニター１２側からレンズ鏡筒１１へ向かう方向である。
【００１８】
次に、撮像装置１０のアクセサリーシュー１３の構成について説明する。
【００１９】
図２は、図１の撮像装置１０におけるアクセサリーシュー１３の構成を示す図であって、図２（ａ）は、分解斜視図、図２（ｂ）は、組立斜視図である。
【００２０】
図２（ａ）中、矢印Ｚ方向は、アクセサリーシュー１３に対するアクセサリの装着方向を示している。また、矢印Ｘ方向は、アクセサリの装着方向と直角に交叉しトップカバー１４の長手方向に平行な方向を示している。矢印Ｙ方向は、アクセサリの装着方向とトップカバー１４の長手方向とに直角に交叉する方向で、トップカバー１４に対するアクセサリーシュー１３の組立方向を示している。なお、トップカバー１４は、撮像装置１０の上面の外観を形成する外装部材である。
【００２１】
図２において、アクセサリーシュー１３は、係合部材２０、外部ストロボ用の信号端子ステージ２１、電子ビューファインダ１６用の信号端子コネクタ２２、及びアクセサリシュースプリング２７から主として構成されている。
【００２２】
係合部材２０は、アクセサリとしての外部ストロボ１５及び電子ビューファインダ１６を係合保持するための部材である。外部ストロボ用の信号端子ステージ２１（以下、単に、「信号端子ステージ」という。）は、合成樹脂材料で形成されたステージベース部材２１ａと、該ステージベース部材２１ａに保持されたシンクロナイザ接点２１ｂと、複数の接点２１ｃを備えている。信号端子ステージ２１は、係合部材２０の位置決め部（後述する図３参照）によって配置位置が決定される。信号端子ステージ２１は、外部ストロボ装置との間で信号を通信するための端子である。
【００２３】
電子ビューファインダ１６用の信号端子コネクタ２２（以下、単に「信号端子コネクタ」という。）は、合成樹脂材料で形成されたコネクタベース部材にＸ方向に等ピッチで並設された複数の端子（後述する図３（ｃ）参照）を備えている。
【００２４】
信号端子ステージ２１のシンクロナイザ接点２１ｂ、複数の接点２１ｃ、及び信号端子コネクタ２２の複数の端子は、それぞれトップカバー１４の下方に配置されたフレキシブル基板２３と電気的に接合されている。フレキシブル基板２３は、撮像装置１０の主基板（図示省略）に接続され、外部ストロボ１５や電子ビューファインダ１６と電気的に接続可能に構成されている。これによって、係合部材２０に装着された外部ストロボ１５又は電子ビューファインダ１６は、撮像装置１０と通信可能となる。
【００２５】
信号端子コネクタ２２の全周を囲うような形状のパッキン部材２４は、ゴム部材など小さな力で大きく変形し、かつ大きな弾性歪領域を持った材料で構成されている。
【００２６】
アクセサリーシュー保持部材２５は、係合部材２０を保持する構造躯体であり、トップカバー１４に対して締結部によって位置決め（図示省略）されている。締結部は、例えば、４本のビス２６を備えており、ビス２６は、図２（ａ）中、係合部材２０、トップカバー１４、及びフレキシブル基板２３を貫通してアクセサリーシュー保持部材２５まで到達し、アクセサリーシュー保持部材２５に締結される。
【００２７】
信号端子ステージ２１は、その外周部が係合部材２０とトップカバー１４によって挟持されることによって固定されている。信号端子コネクタ２２は、トップカバー１４とアクセサリーシュー保持部材２５によって挟持され、パッキン部材２４が押し潰されることによって、トップカバー１４と信号端子コネクタ２２の隙間が埋められている。
【００２８】
アクセサリーシュースプリング２７は、導電性を有する金属材料で構成されている。アクセサリーシュースプリング２７は、係合部材２０に装着されたアクセサリをＹ方向に付勢するための弾性変形部２７ａと、アクセサリのＺ方向の突き当てを行う突当面２７ｂを備えている。トップカバー１４には、摺動孔１４ｃが形成されており、この孔を貫通してアクセサリーシュースプリング２７に当接するように検出ピン２８が設けられている。
【００２９】
接片部材２９は、検出ピン２８を挟んでアクセサリーシュースプリング２７に対向する位置に配置されている。接片部材２９は、アクセサリがアクセサリーシュー１３に装着されていないとフレキシブル基板２３に設けられたパターン（図示省略）に当接している。アクセサリがアクセサリーシュー１３に装着されると、検出ピン２８はアクセサリーシュースプリング２７でＹ方向に押し下げられる。その結果、接片部材２９はフレキシブル基板２３のパターンから離れることによってアクセサリが装着されたことを検出する。このようにして、撮像装置１０にアクセサリが装着されたことが検知され、その後、装着されたアクセサリが撮像装置１０と同期する。
【００３０】
図２（ｂ）において、係合部材２０は、アクセサリとしての外部ストロボ１５又は電子ビューファインダ１６を係合保持するための部材である。係合部材２０の内側には外部ストロボ１５との接続端子である信号端子ステージ２１が設けられている。信号端子ステージ２１の中央部にはシンクロナイザ接点２１ｂが設けられている。シンクロナイザ接点２１ｂの近傍にある複数の接点２１ｃは、係合部材２０に係合された外部ストロボ１５を制御するための通信用端子である。
【００３１】
信号端子コネクタ２２は、電子ビューファインダ１６の装着方向、すなわち、図２中、矢印Ｚ方向においてシンクロナイザ接点２１ｂよりもＺ方向前方に配置されている。シンクロナイザ接点２１ｂと信号端子コネクタ２２の間には外部ストロボ１５のロックピン１５５（後述する図４参照）が係合する第１の係合孔２０１が設けられている。接点２１ｃの近傍には電子ビューファインダ１６の係合爪１６５（後述する図６参照）が係合する一対の第２の係合孔２０２が設けられている。
【００３２】
次に、アクセサリーシュー１３の主構成部材について詳細に説明する。
【００３３】
図３は、アクセサリーシュー装置１３の主構成部材を説明するための図であり、図３（ａ）は、係合部材２０の上面の斜視図、図３（ｂ）は、係合部材２０の下面の斜視図である。また、図３（ｃ）は、信号端子コネクタ２２の斜視図、図３（ｄ）は、係合部材２０に対する信号端子ステージ２１と信号端子コネクタ２２の位置決め機構を説明する分解斜視図である。
【００３４】
図３において、係合部材２０は、概略、板状の金属材料をループ状に折り曲げて形成されている。すなわち、板状の金属材料をループ状に折り曲げた両端部の端面が、対向して当接するように折り曲げられている。対向する両端面が当接する部分は、継ぎ目２０ａとなる。
【００３５】
係合部材２０は、一対の係合部２０ｂ、該一対の係合部２０ｂを相互に連結する連結部２０ｃを有している。係合部材２０における継ぎ目２０ａを有する面には、信号端子ステージ２１を位置決めするための第１の位置決め部２０ｄ、及び、信号端子コネクタ２２を位置決めするための一対の第２の位置決め部２０ｅが形成されている。また、係合部材２０には、係合部材２０自身をトップカバー１４に位置決めするための一対の第１のビス孔２０ｆ、及び、一対の第２のビス孔２０ｇが形成されている。また、係合部材２０には、外部ストロボ１５のロックピン１５５と係合する第１の係合孔２０１、及び電子ビューファインダ１６の２つの係合爪１６５とそれぞれ係合する一対の第２の係合孔２０２、並びに検出ピン用の貫通孔２０ｈが形成されている。
【００３６】
図３（ａ）において、第１の係合部である一対の係合部２０ｂ相互は、第１の幅だけ離間している。第１の幅を、第１の係合部間隔２０ｂａという。この第１の係合部間隔２０ｂａは、規格によって決まっている。第１の係合部間隔内に、外部ストロボ１５のシュー取付脚１５４（図４参照）が挿入される。一対の係合部２０ｂを形成する構成部材の一部を切り欠いて第２の係合部２０ｊが形成されている。第２の係合部２０ｊ相互は、第２の幅だけ離れている。第２の幅を、第２の係合部間隔２０ｂｂという。第２の係合部２０ｊ相互間内に、電子ビューファインダ１６の接続プラグ１６ａが挿入される。
【００３７】
第２の係合部間隔２０ｂｂは、第１の係合部間隔２０ｂａよりも大きい。また、第１の係合部２０ｂと第２の係合部２０ｊは、それぞれ傾斜面によって滑らかに繋がっている。また、係合部材２０は、第１の係合部２０ｂの下方位置に、外部ストロボ１５のシュー１５０又は電子ビューファインダ１６の接続プラグ１６ａのＸ方向の位置決めを行うシュー嵌合間隔２０ｂｃを備えている。
【００３８】
上述のように、第１の位置決め部２０ｄは、後述する外部ストロボ用の信号端子ステージ２１を位置決めするための位置決め部であり、係合部材２０の略中央に形成されている。また、一対の第２の位置決め部２０ｅは、後述する電子ビューファインダ用の信号端子コネクタ２２を位置決めするための一対の孔である。一対の第２の位置決め部２０ｅは、シンクロナイザ接点２１ｂ（図２参照）よりもＺ方向前方にて、Ｘ方向に離間して形成されている。
【００３９】
継ぎ目２０ａは、第１の係合孔２０１と一対の第１のビス孔２０ｆの一方との間に位置している。一対の第１のビス孔２０ｆは、Ｘ方向に間隔を置いて並んで形成されている。すなわち、一対の第１のビス孔２０ｆは、シンクロナイザ接点２１ｂよりＺ方向前方にて、Ｘ方向に離間して設けられた一対の第１の締結孔として機能する。
【００４０】
一対の第２のビス孔２０ｇは、Ｘ方向に離間して形成されている。すなわち、一対の第２のビス孔２０ｇは、シンクロナイザ接点２１ｂよりＺ方向後方にて、Ｘ方向に離間して設けられた一対の第１の締結孔として機能する。第１の係合孔２０１は、外部ストロボが有するロックピンと係合可能な孔であり、一対の第１のビス孔２０ｆの間に形成されている。
【００４１】
一対の第２の係合孔２０２は、電子ビューファインダ１６が有する一対の係合突起１６５とそれぞれ係合可能な孔である。一対の第２の係合孔２０２と一対の第２のビス孔２０ｇとがＺ方向にそれぞれ並ぶように形成されている。また、一対の第２の係合孔２０２は、それぞれ一対の第２のビス孔２０ｇのＺ方向後方に配置されている。
【００４２】
図３（ｃ）において、信号端子コネクタ２２は、後述する電子ビューファインダの装着方向であるＺ方向に鉛直な第１の接点面２２ａを備えている。第１の接点面２２ａから複数の接続端子からなる第１の端子列２２ｂが露出している。電子ビューファインダの装着方向の手前側には第１の接点面２２ａに対し傾斜した第２の接点面２２ｃが設けられている。第２の接点面２２ｃから複数の接続端子からなる第２の端子列２２ｄが露出している。
【００４３】
端子列の幅２２ｂａをなるべく狭くするために、第１の端子列２２ｂと第２の端子列２２ｄは、個々の端子が千鳥状に配列されている。しかし、電子ビューファインダの高画素化、高フレームレート化に伴い接続信号端子数が増加し、第１端子列２２ｂ及び第２端子列２２ｄの幅は、係合部材２０の第１の係合部相互間の間隔２０ｂａよりも広くなっている。
【００４４】
第１の接点面２２ａと第２の接点面２２ｃの間には第３の面が設けられている。第３の面には電子ビューファインダの接続プラグ１６ａとの嵌合関係を規制する嵌合キー２２ｅが設けられている。嵌合キー２２ｅの前後に位置する第１列側の端子２２ｆと第２列側の端子２２ｇの少なくともいずれかは、電子ビューファインダの接続プラグ１６ａ（図６参照）が接続されたことを検出する検出信号端子である。これにより類似形状のアクセサリが装着されようとしても嵌合キー２２ｅによる形状規制により検出信号端子が接続されない。その結果、撮像装置１０に対して異なるアクセサリが誤装着されても検出信号端子が接続されず、撮像装置１０とは通信できない。このような構成によって、特定のアクセサリを装着する機能が保たれている。
【００４５】
信号端子コネクタ２２には、トップカバー１４の下方に配置されたフレキシブル基板２３と電気的に接合されるリード部よりも上側に、全周のフランジ部２２ｈが形成されている。フランジ部２２ｈには、Ｙ方向に伸延する一対の位置決め凸部２２ｉが形成されている。位置決め凸部２２ｉは、端子列のピッチ方向であるＸ方向に対して、プリント配線板と接合される端子列のリード部よりも外側に設けられている。また、位置決め凸部２２ｉは、トップカバー１４に対するアクセサリーシュー１３の組立方向であるＹ方向に対して、係合部材２０の投影面内に設けられている。位置決め凸部２２ｉは、係合部材２０の一対の第２の位置決め部２０ｅと嵌合することで、信号端子コネクタ２２と係合部材２０の位置を決める。
【００４６】
図３（ｄ）において、係合部材２０には、信号端子ステージ２１を位置決めするための第１の位置決め部２０ｄが形成されている。信号端子ステージ２１のステージベース部材２１ａには、第１の位置決め部２０ｄと嵌合する外形嵌合部２１ａａが形成されている。外形嵌合部２１ａａの周囲には、フランジ部２１ａｂが形成されている。信号端子ステージ２１は、係合部材２０の第１の位置決め部２０ｄと外形嵌合部２１ａａとの嵌合により位置が決まり、フランジ部２１ａｂが係合部材２０とトップカバー１４（図２参照）に挟持されることによって固定される。つまり、信号端子ステージ２１は、直接係合部材２０と位置決めされる構成になっている。
【００４７】
また、係合部材２０には、信号端子コネクタ２２を位置決めするための一対の第２の位置決め部２０ｅが形成されている。そして、信号端子コネクタ２２には、係合部材２０の一対の位置決め部２０ｅと嵌合し、Ｙ方向に延伸する一対の位置決め凸部２２ｉが形成されている。信号端子コネクタ２２は、係合部材２０に形成された一対の位置決め部２０ｅと一対の位置決め凸部２２ｉが嵌合することによって位置決めされる。
【００４８】
信号端子コネクタ２２の端子が並ぶピッチ方向（Ｘ方向）において、電子ビューファインダの接続プラグ１６ａ（図６参照）は、係合部材２０のシュー嵌合間隔２０ｂｃによって位置が規制される。つまり、信号端子コネクタ２２と接続プラグ１６ａは、係合部材２０に対して直接位置決めされるので、信号端子コネクタ２２と電子ビューファインダの接続プラグ１６ａは正確に位置が決まる。
【００４９】
また、信号端子コネクタ２２は、フランジ部２２ｈ上に配置されたパッキン部材２４を介して、トップカバー１４とアクセサリーシュー保持部材２５に挟持されることで固定されている（図２参照）。パッキン部材２４は、信号端子コネクタ２２とトップカバー１４との隙間を埋めることができる構成となっている。
【００５０】
次に、アクセサリーシュー１３に装着される外部ストロボについて説明する。
【００５１】
図４は、外部ストロボの構成を説明するための図であり、図４（ａ）は、外部ストロボ１５のシュー１５０を示す斜視図、図４（ｂ）は、外部ストロボ１５のシュー１５０の内部を説明する拡大断面図である。
【００５２】
図４（ａ）において、シュー１５０は、撮像装置１０のアクセサリーシュー１３への通常の装着状態において、外部ストロボ１５の基台部１５１の下側となる位置に設けられている。シュー１５０内部には、撮像装置１０側の信号端子ステージ２１のシンクロナイザ接点２１ｂ、及び接点２１ｃに当接して通信を行うためのストロボ用接続端子１５２が設けられている。ストロボ用接続端子１５２は、撮像装置１０のシンクロナイザ接点２１ｂに対応する接続端子１５２ａと、シンクロナイザ接点２１ｂ以外の接点２１ｃに対応する接続端子１５２ｂに分かれている。
【００５３】
シュー１５０内部には、ストロボ用接続端子１５２を収納する保持部材１５３と、該保持部材１５３の図４（ｂ）中、下部に設けられたシュー取付脚１５４とを備えている。シュー取付脚１５４は、外部ストロボ１５を撮像装置１０に係合するためのものである。保持部材１５３には、シュー取付脚１５４が撮像装置１０のアクセサリーシュー１３に装着された後に、外部ストロボ１５の脱落を防止するためのロックピン１５５が取り付けられている。ロックピン１５５は、Ｙ方向に移動可能である。保持部材１５３には、ロックピン１５５を可動させるためのロックレバー１５６が設けられている。
【００５４】
外部ストロボ１５が撮像装置１０に装着されて、ロックレバー１５６が回転させられると、カム部によってロックピン１５５が付勢され、該ロックピン１５５が撮像装置１０側のアクセサリーシュー１３に設けられた第１の係合孔２０１に係合する。ロックピン１５５と第１の係合孔２０１は、外部ストロボ１５と撮像装置１０の電気的接続を保証するためのＺ方向の位置規制部材として機能する。
【００５５】
ストロボ用接続端子１５２は、基台部１５１側の端部に備えられた端子バネ１５７によって付勢されて、撮像装置１０側となる先端部が保持部材１５３から突出するように構成されている。また、ストロボ用接続端子１５２は、基台部１５１側の端部が図示省略したリード線に半田付けされて、外部ストロボ１５の本体部内の回路部に接続されている。
【００５６】
図５は、外部ストロボ１５のシュー１５０の詳細構成を示す斜視図である。図５は、外部ストロボ１５の基台部１５１（図４参照）を取り除いた状態を示している。
【００５７】
シュー１５０は、シュー取付脚１５４と保持部材１５３が締結されることによって構成されている。外部ストロボ１５は、シュー取付脚１５４に形成されたシュー嵌合部１５４ａが、アクセサリーシュー１３の係合部材２０のシュー嵌合間隔２０ｂｃ（図３（ａ）参照）に嵌合することよってＸ方向の位置が決まる。外部ストロボ１５は、シュー取付脚１５４が、アクセサリーシュースプリング２７（図２参照）によってＹ方向上側に付勢され、シュー嵌合部１５４ａが係合部材２０と当接することによってＹ方向の位置が決まる。外部ストロボ１５は、シュー取付脚１５４に形成された突当面１５４ｂがアクセサリーシュースプリング２７に設けられた一対の突当面２７ｂに当接することによってＺ方向の位置が決まる。
【００５８】
保持部材１５３は、シュー取付脚１５４と基台部１５１を連結するための構造体でもあり、係合部材２０の第１の係合部間隔２０ｂａ（図３（ａ）参照）に挿入可能な幅に形成された連結部１５３ａを有している。保持部材１５３の連結部１５３ａの内部には、ストロボ用接続端子１５２（図４参照）、ストロボ用接続端子１５２を付勢する付勢バネ１５７とロックピン１５５が配置されている。
【００５９】
図４で説明した通り、ストロボ用接続端子１５２には、撮像装置１０のシンクロナイザ接点２１ｂに対応した接続端子１５２ａと、シンクロナイザ接点２１ｂ以外の接点２１ｃに対応した接続端子１５２ｂとがある。シンクロナイザ接点２１ｂに対応する接続端子１５２ａの位置は、Ｘ方向においてシュー嵌合部１５４ａの中心位置にあり、突当面１５４ｂからの距離Ｌ１は、規格によって決まっている。一方、シンクロナイザ接点２１ｂ以外の接点２１ｃに対応する接続端子１５２ｂの位置や形状は、製造業者によって異なることが多い。
【００６０】
ロックピン１５５は、シュー取付脚１５４のシュー嵌合部１５４ａの中央で、且つシンクロナイザ接点２１ｂに対応する接続端子１５２ａ（図４参照）よりＺ方向前方に配置されている。前述したように係合部材２０には、ロックピン１５５が挿入される第１の係合孔２０１（図２参照）が形成されている。ここで、第１の係合孔２０１がシンクロナイザ接点２１ｂよりＺ方向後方に配置されると、外部ストロボ１５をアクセサリーシュー１３に挿入する途中で、接続端子１５２ａが第１の係合孔２０１に入り込んでしまう。そのため、ロックピン１５５は、シンクロナイザ接点２１ｂに対応する接続端子１５２ａのＺ方向前方に構成する必要がある。つまり、シンクロナイザ接点２１ｂ以外の接点２１ｃに対応する接続端子１５２ｂの位置や形状は製造業者によって異なるが、ロックピン１５５は、シンクロナイザ接点２１ｂに対応する接続端子１５２ａのＺ方向前方に配置されている。
【００６１】
ロックピン１５５は、ロックレバー１５６（図４参照）の内壁に形成されたカム形状に当接する当接部１５５ａを備えている。ロックレバー１５６を回転させると、当接部１５５ａがカム形状に沿って移動することで、ロックピン１５５も当接部１５５ａと一体的にＹ方向に移動する。
【００６２】
ストロボ用接続端子１５２（図４参照）は、内部に備えられた付勢バネ１５７によって付勢されている。付勢バネ１５７の先端部１５７ａは、図示省略した外部ストロボ基板とリード線で半田付けされることで、ストロボ用接続端子１５２から付勢バネ１５７を介して外部ストロボ基板に電気信号が伝達される。
【００６３】
次に、アクセサリーシューに装着される電子ビューファインダについて説明する。
【００６４】
図６は、電子ビューファインダを説明するための図であり、図６（ａ）は、電子ビューファインダの接続プラグ１６ａを示す斜視図、図６（ｂ）は、電子ビューファインダの内部構造を示す断面図、図６（ｃ）は、接続端子の側面図である。
【００６５】
図６において、接続プラグ１６ａは、電子ビューファインダ１６の基台部１６１側に設けられている。電子ビューファインダ１６の接続プラグ１６ａには、撮像装置１０側の信号端子コネクタ２２の第１の接点面２２ａと第２の接点面２２ｃ（図３（ｃ）参照）の各接点に当接して通信を行うための接続端子１６２、１６３が設けられている。接続端子１６２、１６３は、端子保持部材１６４に収納、保持されている。端子保持部材１６４は、電子ビューファインダ１６を撮像装置１０に装着するためのシュー取付脚として機能する。
【００６６】
端子保持部材１６４には、接続プラグ１６ａが撮像装置１０のアクセサリーシュー装置１３に装着された後に、電子ビューファインダ１６の脱落を防止するための一対の係合爪１６５を可動させるためのロック解除ボタン１６６が設けられている。係合爪１６５は、該係合爪１６５が接続プラグ１６ａの底面から突出する方向（Ｙ方向）に進退可能であり、図示省略したバネ等の付勢部材によって接続プラグ１６ａの底面から突出するように付勢されている。接続プラグ１６ａが撮像装置１０のアクセサリーシュー１３に取り付けられる際に接続プラグ１６ａがスライド移動されるにつれて、係合爪１６５は、アクセサリーシューの係合部２０の底面部に押されて＋Ｙ方向に退避する。その後、係合爪１６５は、係合部材２０の一対の第２の係合孔２０２の形成位置で、係合孔２０２に嵌合する。係合爪１６５と一対の第２の係合孔２０２は、電子ビューファインダ１６と撮像装置１０の電気的接続を保証するためのＺ方向の位置規制部材としても機能する。
【００６７】
接続端子１６２、１６３は、信号端子コネクタ２２の第１の接点面２２ａと第２の接点面２２ｃと一対一で対応している（図３（ｃ）参照）。接続端子１６２、１６３には、それぞれ信号端子コネクタ２２の第１の接点面２２ａと第２の接点面２２ｃと接触する先端部１６２ａ、１６３ａが形成されている。先端部１６２ａ、１６３ａには、信号端子コネクタの接点面２２ａと２２ｃに当接すると、先端部１６２ａ、１６３ａがＹ方向に弾性変形可能に形成された伸延部１６２ｂ、１６３ｂが形成されている。伸延部１６２ｂ、１６３ｂは、先端部１６２ａ、１６３ａからＺ方向後方へ伸延する形状になっている。伸延部１６２ｂ、１６３ｂのＺ方向後方部には、伸延部と略直交した延直部１６２ｃ、１６３ｃが形成されている。延直部１６２ｃ、１６３ｃの先端は、略Ｕの字形状を成して、電子ビューファインダ１６の主基板１６ｅと接続するフレキシブル基板１６ｆが挿入される接続部１６２ｄ、１６３ｄが形成されている。
【００６８】
図７は、電子ビューファインダ１６の接続プラグ１６ａを示す斜視図であって、電子ビューファインダ１６の基台部１６１（図６参照）を取り除いた状態を示す図である。
【００６９】
図７において、接続プラグ１６ａは、例えば、非導電性材料である合成樹脂材料で形成された端子保持部材１６４と、該端子保持部材１６４に保持された接続端子１６２、１６３を備えている。電子ビューファインダ１６は、端子保持部材１６４に形成されたシュー嵌合部１６４ａが、係合部材２０のシュー嵌合間隔２０ｂｃ（図３参照）に嵌合することによってＸ方向の位置が決まる。電子ビューファインダ１６は、端子保持部材１６４が、アクセサリーシュースプリング２７（図２参照）によってＹ方向上側に付勢され、係合部材２０と当接面１６４ｂが当接することによってＹ方向の位置が決まる。電子ビューファインダ１６は、また、端子保持部材１６４に形成された突当面１６４ｃがアクセサリーシュースプリングに設けられた一対の突当面２７ｂに当接することによってＺ方向の位置が決まる。
【００７０】
端子保持部材１６４は、基台部１６１と連結するための構造体でもあり、係合部材２０の第１の係合部間隔２０ｂａに挿通可能な幅に形成された連結部１６４ｄを有している。また、端子保持部材１６４には、接続端子１６２、１６３の先端を保持する先端保持部１６４ｅと接続端子１６２、１６３の接続部を保持する接続保持部１６４ｆが形成されている。先端保持部１６４ｅと接続保持部１６４ｆは、Ｘ方向において、端子列の幅（シュー嵌合間隔）２２ｂａ（図３参照）から両側に樹脂成形可能な樹脂肉厚を確保した幅が必要になる。
【００７１】
接続保持部１６４ｆは、係合部材２０の第２の係合部間隔２０ｂｂに挿入可能な幅に形成されている。Ｚ方向において接続保持部１６４ｆから突当面１６４ｃまでの距離Ｌ２が長いほど、係合部材２０は第２の係合部間隔２０ｂｂ（図３参照）の領域を少なくすることが可能となる。
【００７２】
端子保持部材１６４のＺ方向後方には、係合爪１６５を収容するための係合爪収容空間１６４ｇが設けられている。Ｚ方向において接続保持部１６４ｆの前方は、図６（ｂ）で説明した通り、接続端子の伸延部１６２ｂ、１６３ｂが配置されているため、係合爪収容空間１６４ｇは、接続保持部１６４ｆの後方に配置する必要がある。
【００７３】
図８は、アクセサリーシュー１３に電子ビューファインダ１６の接続プラグ１６ａを装着した状態を示す図であって、図８（ａ）は、底面図、図８（ｂ）は、断面図である。
【００７４】
上述したように、電子ビューファインダ１６の高画素化、高フレームレート化に伴い接続信号端子数が増加し、接続端子１６２、１６３の幅、及びこれと接続される接続端子列の幅２２ｂａは、係合部材２０の第１の係合部間隔２０ｂａより広くなる（図３参照）。すなわち、接続プラグ１６ａのＸ方向の端部に配置された接続端子１６３は、係合部材２０における一対の係合部２０ｂの下側を経て、第２の係合部２０ｊの領域から電子ビューファインダ１６の内部へ電気的に接続される。換言すれば、信号端子コネクタ２２のＸ（幅）方向に沿った両端部の接続端子は、係合部材２０の幅方向において、それぞれ第１の幅（２０ｂａ）の外側であって、第２の幅（２０ｂｂ）の内側で、電子ビューファインダ１６の接続端子に接続される。
【００７５】
ここで、突当面１６４ｃから接続保持部１６４ｆまでの距離Ｌ２を長くすることで、係合部材２０と当接面１６４ｂの当接面積を多くとれる。
【００７６】
当接する面を多く取れることで、電子ビューファインダ１６をアクセサリーシュー１３に取り付けた際にガタつきや傾きなどが発生しづらくなる。また、撮影用アクセサリの先端に＋Ｚ方向の力が加わり係合部材２０に相当な力が加わった場合、係合部材２０が多少変形しても係合部材２０から撮影用アクセサリが抜けることはない。
【００７７】
係合爪１６５は、Ｚ方向において接続保持部１６４ｆの後方に配置されている。突当面１６４ｃから接続保持部１６４ｆまでの距離Ｌ２を長くするためには、係合爪１６５を可能な限りＺ方向後方に配置する必要がある。係合爪１６５は係合部材２０の第２の係合孔２０２に嵌合するものであり、第２の係合孔２０２は、係合部材２０のＺ方向後方端から、一対の第２の係合孔２０２が加工可能でかつ強度を確保可能な距離Ｌ３を確保して配置される。
【００７８】
係合部材２０は、板状の金属材料で、プレス加工で成形されることが一般的であるために、プレス加工の観点において、距離Ｌ３の目安は、係合部材の板の厚みＴ１以上に確保することが望ましい。強度の観点において、距離Ｌ３は材質によってプレス加工の限界より小さくすることができるが、その時は、切削加工など他の加工を採用することもできる。
【００７９】
図９は、図８（ｂ）の状態を上方から見た平面図である。
【００８０】
図９において、係合部材２０は、Ｘ方向において、シュー嵌合間隔２０ｂｃ、第１の係合部間隔２０ｂａ、第２の係合部間隔２０ｂｂを有している。信号端子コネクタ２２の端子列の幅２２ｂａは、第１の係合部間隔２０ｂａより広く、第２の係合部間隔２０ｂｂより狭くなっている。つまり、少なくとも接続プラグ１６ａのＸ方向の端に配置された接続端子１６３は、一対の係合部２０ｂの下側を経て、第２の係合部２０ｊ相互の間隔２０ｂｂ内の領域から電子ビューファインダ内部へ電気的に接続される。
【００８１】
Ｘ方向におけるシュー嵌合間隔２０ｂｃの一端から、同じ側の第二の係合部の一端までの距離Ｌ４は、加工可能で強度を確保できる肉厚を確保する必要がある。係合部材２０は板状の金属材料で、プレス加工で成形されることが一般的なため、プレス加工の観点において、距離Ｌ４の目安は、係合部材の板の厚みＴ１の１．５倍（１．５×Ｔ１）以上であることが望ましい。強度の観点において、距離Ｌ４は、構成する材質によってはプレス加工の限界より小さくすることができる。但し、その場合は、切削加工など他の加工方法を採用することが好ましい。
【００８２】
係合部材２０の内部には、突当面２７ｂからの距離Ｌ１が規定によって決まっているシンクロナイザ接点２１ｂが配置されている。係合部材２０の第２の係合部間隔２０ｂｂの領域には、突当面２７ｂからの距離Ｌ２の接続保持部１６４ｆが配置されている。
【００８３】
係合部材２０は、Ｚ方向後方の端から加工可能で、かつ強度を確保可能な距離Ｌ３を確保した位置に一対の第２の係合孔２０２が配置される。一対の第２の係合孔２０２を可能な限り、Ｚ方向後方に配置することで、突当面２７ｂから接続保持部１６４ｆの距離Ｌ２を長くすることが可能となる。つまり、第２の係合部間隔２０ｂｂの領域を少なくすることが可能となる。当接する面を多く取れることで、電子ビューファインダ１６をアクセサリーシュー１３に取り付けた際にガタつきや傾きなどが発生しづらくなる。また、アクセサリの先端に＋Ｚ方向の力が加わり係合部材２０に相当な力が加わった場合に、係合部材２０が多少変形しても係合部材２０からのアクセサリの脱落を回避することができる。
【００８４】
図２で説明した通り、係合部材２０は、突当面２７ｂとシンクロナイザ接点２１ｂとの間に、外部ストロボのロックピン１５５（図３参照）が挿入される第１の係合孔２０１が配置されている。
【００８５】
係合部材２０を締結するための４本のビス２６は、アクセサリーシュースプリング２７（図２参照）のＹ方向下側に配置され、隠蔽されている。４本のビス２６は、電子ビューファインダ１６の接続プラグ１６ａの接続端子１６１、１６３（図８参照）を気にせずに配置することができる。４本のビス２６においては、シンクロナイザ接点２１ｂを中心にＸ軸とＺ軸によって分割された４つの領域に１本ずつ均等に配置することによって、バランス良く係合部材２０を保持できる。
【００８６】
以上、説明したように、電子ビューファインダ１６用の接続信号端子数が増加するにあたって、係合部材２０における第１の係合部２０ｂの下側を配線する必要がある。電子ビューファインダ１６の接続プラグ１６ａの接続保持部１６４ｆは、Ｚ方向において係合部材２０の係合部２０ｂ後方に配置すると、電子ビューファインダのロック機構（１６５、２０２）が構成することができなくなる。
【００８７】
そこで、本実施の形態では、電子ビューファインダ１６のロック機構（１６５、２０２）は、Ｚ方向において構成可能な位置まで後方に下げて、且つ係合部材２０ｂの一部に第２の係合部間隔２０ｂｂの領域を設ける。これによって、最も外側の接続端子１６２、１６３は、第１の係合部２０ｂの外側で、第２の係合部２０ｊの第２の幅の内側を経て水平方向に延び、第１の係合部２０ｂのＺ方向の後側の第２の係合部２０ｊ内で立上り、電子ビューファインダ内部へ接続される。また、接続保持部１６４はＹ方向から見た係合部材２０の投影面内に配置することが可能となり、係合部材２０を大型化する必要がなくなる。また、外部ストロボ１５と電子ビューファインダ１６のロック機構をＹ方向から見た係合部材２０の投影面内に配置しても係合部間隔２０ｂｂの領域を少なくすることが可能となる。
【００８８】
このように、本実施の形態によれば、汎用性を損なわずに、接続コネクタの係合部の形状内で電子ビューファインダを接続するための接続端子数を多極化することができる。
【００８９】
なお、本実施の形態では多極化したアクセサリとして電子ビューファインダを例にしているが、多極化したアクセサリは大型モニタやマイクなどであってもよい。
【符号の説明】
【００９０】
１３  アクセサリーシュー装置
１５  外部ストロボ装置
１６  電子ビューファインダ
２０  係合部材
２０ｂ  第１の係合部
２０ｂａ  第１の係合部間隔
２０ｂｂ  第２の係合部間隔
２０ｂｃ  シュー嵌合間隔
２１  信号端子ステージ
２２  信号端子コネクタ
２２ｂａ  端子列の幅
【図１】
0006685743.tif 000002
【図２】
0006685743.tif 000003
【図３】
0006685743.tif 000004
【図４】
0006685743.tif 000005
【図５】
0006685743.tif 000006
【図６】
0006685743.tif 000007
【図７】
0006685743.tif 000008
【図８】
0006685743.tif 000009
【図９】
0006685743.tif 000010